(57)【要約】【課題】スイッチ操作装置に於ける押釦周辺からの防水性が高く、かつ空気抜きが安価にできる操作パネルの取付構造を提供する。【解決手段】押圧部６を有する操作パネル７と、押圧部６に対応して設けられた貫通穴３を有し、前面側に操作パネル７が両面テープ８（粘着部材）によって固着されるケース４（支持体）と、貫通穴３を塞ぐようにケース４に固着される押釦５とを備え、両面テープ８には操作パネル７の縁部に対応した箇所に粘着除去部分を設け、ケース４には貫通穴３と粘着除去部分に対応した箇所とを繋ぐ空気逃げ溝１４を設け、この空気逃げ溝１４の末端部分２４が粘着除去部分に対応した箇所内である。【選択図】図１
2008112697.tif 000002
【特許請求の範囲】
【請求項１】
押圧部を有する操作パネルと、前記押圧部に対応して設けられた貫通穴を有し、前面側に前記操作パネルが粘着部材によって固着される支持体と、前記貫通穴を塞ぐように前記支持体に固着されると共に前記押圧部の押し操作により押し方向に移動可能に形成された押釦とを備え、前記粘着部材には前記操作パネルの縁部に対応した箇所に粘着除去部分を設け、前記支持体には前記貫通穴と前記粘着除去部分に対応した箇所とを繋ぐ空気逃げ溝を設け、この空気逃げ溝の末端部分が前記粘着除去部分に対応した箇所内であることを特徴とする操作パネルの取付構造。
【請求項２】
押圧部を有する操作パネルと、前記押圧部に対応して設けられた複数の貫通穴を有し、前面側に前記操作パネルが粘着部材によって固着される支持体と、前記貫通穴を塞ぐように前記支持体に固着されると共に前記押圧部の押し操作により押し方向に移動可能に形成された押釦とを備え、前記粘着部材には前記操作パネルの縁部に対応した箇所に粘着除去部分を設け、前記支持体には前記貫通穴を連結する通気路を設けると共に、前記貫通穴または前記通気路と前記粘着除去部分に対応した箇所とを繋ぐ空気逃げ溝を設け、この空気逃げ溝の末端部分が前記粘着除去部分に対応した箇所内であることを特徴とする操作パネルの取付構造。
【請求項３】
前記操作パネルの周囲に対応した支持体箇所には、少なくとも前記操作パネルの表面高さまで突出した突部が設けられ、この突部と少なくとも前記粘着除去部分に対応した操作パネルの端部との間に隙間を有していることを特徴とする請求項１または請求項２に記載の操作パネルの取付構造。
【請求項４】
前記粘着部材が両面テープからなることを特徴とする請求項１から請求項３の何れかに記載の操作パネルの取付構造。
【請求項５】
前記粘着部材が前記操作パネルに施された印刷層からなることを特徴とする請求項１から請求項３の何れかに記載の操作パネルの取付構造。
【発明の詳細な説明】
【技術分野】
【０００１】
本発明は、農業機械や建設機械などに搭載され、特に防水を必要とするスイッチ操作装置に用いられる操作パネルの取付構造に関するものである。
【背景技術】
【０００２】
農業機械用や建設機械用などのスイッチ操作装置は、内蔵されたスイッチを操作するための押釦周辺から水や埃が装置内、特に回路基板等に入り込まない様にする必要がある。そのために、押釦の周辺から水などが入り込まないような構造とすると共に、更に押釦を覆うように薄板状のパネルシートを配置して二重防水構造とするものが知られており、例えば下記特許文献１がある。そして、特許文献１に記載のスイッチ構造は、弾性部材４（押釦）とパネルシート１との間にできる密封空間内の膨張した空気を外部に逃がすための通気路３３と通気孔３２を設けたというものである。
【特許文献１】特開２００１−１０１９４９号公報
【発明の開示】
【発明が解決しようとする課題】
【０００３】
しかしながら、特許文献１の図１に記載された構造は、上ケース３ａに回路基板２との間を仕切る仕切壁３４と、仕切壁３４を設けることによってできた空間に対応した上ケース３ａの前面側箇所に通気孔３２を形成して、通気路３３から導かれた空気を下ケース３ｂの底部から外部に逃がす様にしているため、空間を設けるためのスペース（図１中、右端）が必要である。従って、その分ケース（スイッチ操作装置）が大きくなってコストもアップしてしまう。また、図３に記載された構造は、通気孔３２を塞ぐように空気は通すが水は通さない多孔質膜６を配設したものである。しかし、スイッチ操作装置は大きくならないが多孔質膜６が必要であり、コスト高となってしまう。
【０００４】
この様な点を改善するために、例えば図７及び図８に示す様な方法が考えられる。図７及び図８に於いてａ，ｂはそれぞれパネルシート，支持体であり、ｃは支持体ｂに設けた通気路である。この様に構成することによって、スイッチ操作装置を殊更大きくしたり、多孔質膜を用いる必要はないが、スイッチ操作者（運転者）側から見た際に、パネルシートａと支持体ｂとの隙間ｐより通気路ｃの末端部分の窪みが見えてしまう。これは、膨張した空気を外部に逃がすためには通気路ｃをパネルシートａの端部ｄより支持体ｂの縁寄りまで少し長く延ばして設ける必要があるためであるが、窪んだ通気路ｃが見えることによって見栄えが悪くなってしまう。
【０００５】
本発明はこの様な点に鑑みなされたもので、スイッチ操作装置に於ける押釦周辺からの防水性が高く、かつ外観に悪影響を及ぼすことなく、空気抜きが安価にできる操作パネルの取付構造を提供することを目的とする。
【課題を解決するための手段】
【０００６】
本発明は前記目的を達成するため、押圧部を有する操作パネルと、前記押圧部に対応して設けられた貫通穴を有し、前面側に前記操作パネルが粘着部材によって固着される支持体と、前記貫通穴を塞ぐように前記支持体に固着されると共に前記押圧部の押し操作により押し方向に移動可能に形成された押釦とを備え、前記粘着部材には前記操作パネルの縁部に対応した箇所に粘着除去部分を設け、前記支持体には前記貫通穴と前記粘着除去部分に対応した箇所とを繋ぐ空気逃げ溝を設け、この空気逃げ溝の末端部分が前記粘着除去部分に対応した箇所内である。
【０００７】
また、押圧部を有する操作パネルと、前記押圧部に対応して設けられた複数の貫通穴を有し、前面側に前記操作パネルが粘着部材によって固着される支持体と、前記貫通穴を塞ぐように前記支持体に固着されると共に前記押圧部の押し操作により押し方向に移動可能に形成された押釦とを備え、前記粘着部材には前記操作パネルの縁部に対応した箇所に粘着除去部分を設け、前記支持体には前記貫通穴を連結する通気路を設けると共に、前記貫通穴または前記通気路と前記粘着除去部分に対応した箇所とを繋ぐ空気逃げ溝を設け、この空気逃げ溝の末端部分が前記粘着除去部分に対応した箇所内である。
【０００８】
また、前記操作パネルの周囲に対応した支持体箇所には、少なくとも前記操作パネルの表面高さまで突出した突部が設けられ、この突部と少なくとも前記粘着除去部分に対応した操作パネルの端部との間に隙間を有している。
【０００９】
また、前記粘着部材が両面テープからなる。
【００１０】
また、前記粘着部材が前記操作パネルに施された印刷層からなる。
【発明の効果】
【００１１】
本発明によれば、スイッチ操作装置に於ける押釦周辺からの防水性が高く、かつ空気抜きが安価にできる操作パネルの取付構造を得ることができる。
【発明を実施するための最良の形態】
【００１２】
本発明を適用したスイッチ操作装置を実施形態として説明する。図１は第１実施形態を示すスイッチ操作装置の部分断面図である。図２は操作パネルと粘着部材と支持体を示す部分斜視図であり、図３は操作パネルと粘着部材と支持体の位置関係を説明する平面図である。なお、本実施形態に於いては、粘着部材を両面テープとし、支持体をケースとして説明する。
【００１３】
スイッチ操作装置は、スイッチ１が半田付固定された硬質な回路基板２と、この回路基板２が収納されスイッチ１に対応して設けられた貫通穴３を有する支持体としてのケース４と、貫通穴３を塞ぐようにケース４に固着される押釦５と、ケース４の前面側に配置され押釦５に対応して設けられた押圧部６を有する操作パネル７と、ケース４に操作パネル７を固着する粘着部材としての両面テープ８と、回路基板２の裏面側を覆う合成樹脂製のカバー９を備えている。
【００１４】
操作パネル７は、柔軟性を有する合成樹脂製のシート材からなり、エンボス加工によって操作者によって押し操作可能な隆起状の押圧部６が形成してある。また、押圧部６近くの表面には文字や記号などの表示部１０が印刷してある。
【００１５】
ケース４は、ＡＢＳ或いはポリカーボネートなどの合成樹脂からなり、前面部１１と周部１２を有している。前面部１１には、スイッチ１に対応した（操作パネル７の押圧部６にも対応している）貫通穴３と突部１３と空気逃げ溝１４とがそれぞれ設けてある。突部１３は、前面部１１からの高さが少なくとも操作パネル７の表面まで突出して形成されると共に、操作パネル７の端部との間に隙間Ｓを設けてある。この隙間Ｓは両面テープ８の厚さ相当としてある。空気逃げ溝１４は、幅が約１ｍｍで深さが約0.5ｍｍの溝状であって、貫通穴３と後述する両面テープ８の粘着除去部分１５に対応した前面部１１箇所とを繋ぐように設けてある。
【００１６】
また、ケース４の前面部１１には回路基板２を取付固定する取付ボス１６が設けられており、この取付ボス１６に回路基板２がビス１７によってねじ止めされる。また、貫通穴３の周囲には溶着ボス１８が設けてある。なお、操作パネル７の外形端部と突部１３間とは、全周に渡って両面テープ８の厚さ相当の隙間Ｓを有していなくとも良く、少なくとも粘着除去部分１５に対応した操作パネル７の端部との隙間が両面テープ８の厚さ相当であれば、他の箇所は隙間が無くとも良い。
【００１７】
両面テープ８は、不織布からなる基材の両面に接着剤が設けられたシートからなり、操作パネル７とほぼ同じ大きさで、厚さは約０．２ｍｍである。図２に示す様に操作パネル７の押圧部６に対応した箇所に、ケース４に設けられた貫通穴３と同等の貫通穴３Ａと、縁部（操作パネル７の縁部に対応した箇所でもある）に粘着除去部分１５がそれぞれ設けてある。この両面テープ８は予めプレス加工により貫通穴３Ａと粘着除去部分１５を打ち抜いた（設けた）後、操作パネル７の裏面に貼り、その後、プレス加工により操作パネル７の外形を打ち抜くと同時に、操作パネル７の外形と同形の両面テープ８の外形が打ち抜かれるものである。なお、両面テープ８はプレス加工により貫通穴３Ａ，粘着除去部分１５および外形を打ち抜いた後、操作パネル７の裏面に貼っても良い。
【００１８】
操作パネル７と両面テープ８とケース４の位置関係を図３に基づいて説明する。両面テープ８の外形は上述した様に操作パネル７の外形と一致しており、縁部に粘着除去部分１５が設けてある。両面テープ８付の操作パネル７はケース４の前面部１１に固着されるが、その際、操作パネル７とケース４の突部１３との隙間Ｓは両面テープ８の厚さ相当としてある。また、ケース４に設けた空気逃げ溝１４の末端部分２４は、両面テープ８の粘着除去部分１５に対応した箇所内にある。本実施形態の場合は、図３に示す様に末端部分２４が粘着除去部分１５のほぼ中央部分に対応した位置までとしてある。
【００１９】
押釦５は、弾性を有する合成ゴムからなり、軸部１９と、この軸部１９の周囲に位置する固定脚部２０と、軸部１９と固定脚部２０とを繋ぐ薄肉部２１とを有している。押釦５は、ケース４の前面部１１と合成樹脂からなるリング状の固定部材２２との間で固定脚部２０を挟み込むことによってケース４に固着されるようになっている。具体的には、固定脚部２０を僅かに圧縮した状態で固定部材２２を溶着ボス１８に溶着することによって、ケース４の貫通穴３が隙間なく塞がれるようになる。
【００２０】
スイッチ１の操作は、操作パネル７の押圧部６を下方に押すことによって行われる。押圧部６を押すことで押釦５の薄肉部２１が撓み、軸部１９が下方（スイッチ１側）に移動する。それにより、軸部１９の下端によって復帰可能に保持されたスイッチ１の可動部２３が押圧され、図示しない液晶表示器に各種表示項目が現れて、その中から任意の項目を選択できるように構成されている。押し操作を止めると押釦５の軸部１９および操作パネル７の押圧部６が元の位置に戻るようになっている。
【００２１】
この様に、押釦５が固着されたケース４の前面部１１および押釦５の表面側を操作パネル７で覆うことによって、押釦５の周辺から水などがケース４内に入り込まないようにすることができる。また、操作パネル７の縁部に対応した両面テープ８箇所に粘着除去部分１５を設けると共に、ケース４の前面部１１に設けた貫通穴３と粘着除去部分１５に対応した前面部１１箇所とを繋ぐ空気逃げ溝１４を設け、この空気逃げ溝１４の末端部分２４を粘着除去部分１５に対応した箇所内としたことにより、空気逃げ溝１４を見えにくくしながら押釦５の軸部１９周囲と操作パネル７との間にできる密封空間Ｕ内の膨張した空気を空気逃げ溝１４から粘着除去部分１５を通り、外部へと逃がすことができる。この様に、外観に悪影響を及ぼすことなく安価な方法で空気抜きができる操作パネルの取付構造を得ることができる。
【００２２】
また、操作パネル７周囲のケース４の前面部１１に操作パネル７の端部に対して両面テープ８の厚さ相当の隙間Ｓを有し、前面部１１からの高さが操作パネル７の表面まで突出した突部１３を設けたことにより、斜め方向から見た場合であっても空気逃げ溝１４が見えにくくなると共に、隙間Ｓを設けたことにより、膨張した空気は空気逃げ溝１４から粘着除去部分１５を通り、更に隙間Ｓを通って外部へと抜けるようになる。従って、この隙間Ｓは空気が抜けるようになっていれば良く、両面テープ８の厚さより狭くても良いが、両面テープ８を除去した粘着除去部分１５が空気抜け通路であることを考えると、隙間Ｓは両面テープ８の厚さ相当であることが空気がスムーズに抜け、望ましいるものである。また、粘着部材を両面テープ８とすることによって、粘着除去部分１５も容易に設けやすく、単純な方法で操作パネル７をケース４に固着することも可能となる。
【００２３】
図４は、本発明の第２実施形態であり、操作パネルと粘着部材と支持体を示す部分斜視図である。本実施形態のスイッチ操作装置は複数のスイッチ（図示せず）と、スイッチに対応した押圧部６を備えているものである。なお、前記第１実施形態と同一または相当箇所には同一符号を付し、その詳細説明は省略する。
【００２４】
操作パネル７は、前記第１実施形態と同様に、柔軟性を有する合成樹脂製のシート材からなり、４個の隆起状の押圧部６と、表面側に各押圧部６に対応した表示部（図示せず）が印刷してある。
【００２５】
両面テープ８は、前記第１実施形態と同様に、不織布からなる基材の両面に接着剤が設けられたシートからなり、操作パネル７の押圧部６に対応した４個の貫通穴３Ａと、縁部（操作パネル７の縁部に対応した箇所でもある）に粘着除去部分１５がそれぞれ設けてある。
【００２６】
ケース４は、ＡＢＳ或いはポリカーボネートなどの合成樹脂からなり、前面部１１には、操作パネル７の押圧部６に対応した４個の貫通穴３と、突部１３と、各貫通穴３を連結する３個の通気路２５と、１個の通気路２５と両面テープ８の粘着除去部分１５に対応した箇所とを繋ぎ、末端部分２４が粘着除去部分１５に対応した箇所内にある空気逃げ溝１４がそれぞれ設けてある。通気路２５は、空気逃げ溝１４と同じで、幅が約１ｍｍで深さが約0.5ｍｍの溝状となっている。
【００２７】
なお、本実施形態に於いては通気路２５と粘着除去部分１５に対応した箇所とを空気逃げ溝１４で連結したが、貫通穴３と粘着除去部分１５に対応した箇所とを空気逃げ溝１４で連結しても良い。
【００２８】
この様に構成したことにより、複数のスイッチを備えたスイッチ操作装置であっても、前記第１実施形態と同様な効果を得ることができる。
【００２９】
図５および図６は、本発明の第３実施形態を示す操作パネル７の部分裏面図とその断面図である。他は前記第１実施形態と同じため詳細説明は省略する。
【００３０】
操作パネル７は、前記第１実施形態と同様に、柔軟性を有する合成樹脂製のシート材からなり、押圧部６と表面側に表示部（図示せず）が印刷してある。また、操作パネル７の裏面には粘着部材としての印刷層２６が設けてある。この印刷層２６は粘着剤を印刷したものであり、前記第１実施形態に於ける両面テープ８に代わるものである。従って、両面テープ８の貫通穴３Ａおよび粘着除去部分１５に相当する箇所には印刷層２６が設けられていない非印刷部２７としてある。この操作パネル７はケース４の前面部１１に固着される。
【００３１】
この様に、粘着部材を印刷層２６としたことにより、操作パネル７とは別の粘着部材を用いる必要がなく、より安価な方法でスイッチ操作装置に於ける押釦周辺からの防水性を維持しながら、空気抜きが容易にできる操作パネルの取付構造を得ることができる。
【図面の簡単な説明】
【００３２】
【図１】本発明の第１実施形態を示すスイッチ操作装置の部分断面図。
【図２】同操作パネルと粘着部材と支持体を示す部分斜視図。
【図３】同操作パネルと粘着部材と支持体の位置関係を説明する平面図。
【図４】本発明の第２実施形態を示す操作パネルと粘着部材と支持体の部分斜視図。
【図５】本発明の第３実施形態を示す操作パネルの部分裏面図。
【図６】同操作パネルの部分断面図（図５に於けるＡ−Ａ断面）。
【図７】従来例を示すパネルシートと支持体の部分断面図。
【図８】同パネルシートと支持体の部分断面図（図４に於けるｑ−ｑ断面）。
【符号の説明】
【００３３】
１  スイッチ
３，３Ａ  貫通穴
４  ケース（支持体）
５  押釦
６  押圧部
７  操作パネル
８  両面テープ（粘着部材）
１３  突部
１４  空気逃げ溝
１５  粘着除去部分
２４  末端部分
２５  通気路
２６  印刷層（粘着部材）
【図１】
2008112697.tif 000003
【図２】
2008112697.tif 000004
【図３】
2008112697.tif 000005
【図４】
2008112697.tif 000006
【図５】
2008112697.tif 000007
【図６】
2008112697.tif 000008
【図７】
2008112697.tif 000009
【図８】
2008112697.tif 000010